(57)【要約】【課題】作業者にとって、設置の際の危険性を極力回避できるタンクユニットを提供すること。【解決手段】ユニット本体１２Ａの前部左側部には、上部から順にタンク側制御装置３６を構成するマイクロコンピュータなどが搭載されたプリント基板５０、該プリント基板５０に接続される試運転スイッチ５１や電力会社との時間帯・料金に関する契約形態に応じて選択される電力契約設定スイッチ５２等が設けられた基板操作部５３、台所用リモートコントローラ３８及び風呂用リモートコントローラ３９と接続される通信線やユニット本体１２Ａ外からの電源線などが接続される端子台５５等を偏らせて配設する。そして、基板操作部５３等の前方のユニット本体１２Ａ前面開口部には開閉可能な一方の扉体５９を、基板操作部５３等の右方のユニット本体１２Ａ前面開口部には開閉可能な他方の扉体６０を設け、一方の扉体５９を他方の扉体６０より小さい面積にする。【選択図】図４
2008051449.tif 000002
【特許請求の範囲】
【請求項１】
ヒートポンプサイクルにより加熱される湯を貯留する貯湯タンクをユニット本体内に備えたタンクユニットにおいて、前記ユニット本体の前部一側部に運転開始前に操作される操作部を配設すると共に前記ユニット本体の前面開口部を開閉可能な少なくとも左右２つの扉体を配設し、前記操作部前方の前面開口部を開閉する一方の扉体を他方の扉体より小さくしたことを特徴とするタンクユニット。
【請求項２】
ヒートポンプサイクルにより加熱される湯を貯留する貯湯タンクをユニット本体内に備えたタンクユニットにおいて、前記ユニット本体の前部一側部に該ユニット本体外からの電源線が接続される端子台を配設すると共に前記ユニット本体の前面開口部を開閉可能な少なくとも左右２つの扉体を配設し、前記端子台前方の前面開口部を開閉する一方の扉体を他方の扉体より小さくしたことを特徴とするタンクユニット。
【発明の詳細な説明】
【技術分野】
【０００１】
本発明は、ヒートポンプサイクルにより加熱される湯を貯留する貯湯タンクをユニット本体内に備えたタンクユニットに関する。
【背景技術】
【０００２】
従来、この種のタンクユニットは、例えば、特許文献１等で知られている。図５に示すように、一般に、タンクユニット１のユニット本体２内部には、ヒートポンプサイクルにより加熱される湯を貯留する貯湯タンク（図示せず）を備え、タンクユニット１は概ね直方体形状を呈している。そして、横断平面がコ字形状を呈したユニット本体２の前面開口を１つの扉体３が開閉可能に設けられ、設置の際の運転開始前に、前記扉体３を開けて、ユニット本体２外からユニット本体２内部の端子台に電源線を接続したり、ユニット本体２内部に配設された操作部を操作して試運転したりする。
【特許文献１】特開平７−２４３７０５号公報
【発明の開示】
【発明が解決しようとする課題】
【０００３】
しかし、集合住宅などの高層階のベランダなどに設置する場合、施工時に強風があると、大きな面積の前記扉体３を開けるとこの扉体３が飛ばされることが発生して、作業者にとって甚だ危険である。
【０００４】
そこで本発明は、上述の実情に鑑みてなされたものであり、作業者にとって、設置の際の危険性を極力回避できるタンクユニットを提供することを目的とする。
【課題を解決するための手段】
【０００５】
このため第1の発明は、ヒートポンプサイクルにより加熱される湯を貯留する貯湯タンクをユニット本体内に備えたタンクユニットにおいて、前記ユニット本体の前部一側部に運転開始前に操作される操作部を配設すると共に前記ユニット本体の前面開口部を開閉可能な少なくとも左右２つの扉体を配設し、前記操作部前方の前面開口部を開閉する一方の扉体を他方の扉体より小さくしたことを特徴とする。
【０００６】
また第２の発明は、ヒートポンプサイクルにより加熱される湯を貯留する貯湯タンクをユニット本体内に備えたタンクユニットにおいて、前記ユニット本体の前部一側部に該ユニット本体外からの電源線が接続される端子台を配設すると共に前記ユニット本体の前面開口部を開閉可能な少なくとも左右２つの扉体を配設し、前記端子台前方の前面開口部を開閉する一方の扉体を他方の扉体より小さくしたことを特徴とする。
【発明の効果】
【０００７】
本発明によれば、設置施工の際に強風などが起こっても、作業者にとって、危険性を極力回避できるタンクユニットを提供することができる。
【発明を実施するための最良の形態】
【０００８】
以下、図１乃至図４に基づき、本発明の実施形態について説明する。先ず、本発明に係る貯湯タンクユニットを備えた給湯装置の実施形態について、説明する。図１は本発明の給湯装置の設置状態を説明する説明図、図２は全体構成の概略構成図、図３は貯湯タンクユニットの扉体を外した状態の正面図である。
【０００９】
図１において、ヒートポンプ式の給湯装置１０は、ヒートポンプユニット１１と、このヒートポンプユニット１１に配管接続される貯湯タンクユニット１２とで構成され、これらヒートポンプユニット１１及び貯湯タンクユニット１２は、通常、屋外に設置され、ここでは集合住宅などの高層階のベランダなどに設置するものとして説明する。また、これらヒートポンプユニット１１及び貯湯タンクユニット１２は、共通の外装ケース内に一体に組み込む一体型とすることもできる。
【００１０】
次に、図２を用いて説明すると、前記ヒートポンプユニット１１は、ユニット本体１１Ａ内に、ロータリー２段圧縮機などの能力可変の圧縮機１３、加熱装置としての冷媒対水熱交換器１４、電動膨張弁などの減圧装置１５、蒸発器１６、該蒸発器１６に通風して空気と熱交換させる熱交換用送風機１９、アキュームレータ１７及びヒートポンプ側制御装置１８が収容されている。そして、前記圧縮機１３、冷媒対水熱交換器１４を構成する放熱器１４Ａ、減圧装置１５、蒸発器１６及びアキュームレータ１７は、冷媒配管２０にて環状に接続されており、二酸化炭素を冷媒として圧縮機１３で超臨界圧に圧縮するヒートポンプサイクルＸを構成している。また、前記冷媒対水熱交換器１４は前記放熱器１４Ａと受熱器１４Ｂとで構成される。
【００１１】
前記貯湯タンクユニット１２は、横断平面がコ字形状のユニット本体１２Ａ内に、ステンレス鋼板製の縦長な貯湯タンク２２、前記貯湯タンク２２の底部に接続される給水配管２３、給水開閉弁２４、分岐給水配管２５、貯湯用配管２６、貯湯用循環ポンプ２７、追い焚き用配管２８、追い焚き用熱交換器２９、風呂水用配管３０、風呂水用循環ポンプ３１、追い焚き用循環ポンプ３２、給湯用配管３３、混合弁３４、風呂給湯開閉弁３５、タンク側制御装置３６等を収容している。２１は圧力逃し弁で、給湯用配管３３に接続される。
【００１２】
前記貯湯用配管２６の出口部２６Ａは前記貯湯タンク２２の底部に接続され、貯湯用配管２６の入口部２６Ｂは前記貯湯タンク２２の頂部に接続されている。また、追い焚き用配管２８の出口部２８Ａ及び給湯用配管３３は、それぞれ前記貯湯タンク２２の頂部に接続されている。
【００１３】
３７は前記ヒートポンプ側制御装置１８とタンク側制御装置３６とを配線接続する通信線、３８は台所用リモートコントローラ、３９は風呂用リモートコントローラであり、これら各リモートコントローラ３８、３９はタンク側制御装置３６に配線接続されている。４０は風呂の浴槽を示している。
【００１４】
ここで、風呂の浴槽４０に注湯する湯張りを行う場合は、風呂用リモートコントローラ３９の風呂湯張りスイッチ（図示せず）を押すと、貯湯タンク２２内上部から給湯用配管３３へ押し出された高温の湯が混合弁３４へ流れ、ここで水道配管２３及び分岐給水管２５から給水される水道水と混合されて、給湯管４１を介して予め設定された温度の湯が浴槽４０へ注湯され、所定の湯量が注湯されると湯張りが完了する。
【００１５】
上記したように、浴槽４０などの利用部への給湯が行われると、貯湯タンク２２内の高温の湯が消費され、貯湯タンク２２内における高温の湯の層が減少し、この高温の湯は貯湯タンク２２内の上部にのみ貯留し、貯湯タンク２２内の中間部や下部は、温度の低い湯或いは水が貯留された状態となり、各温度の湯層が形成される。
【００１６】
次に、お湯の沸き上げ運転について説明する。先ず、ヒートポンプユニット１１の運転開始により、ヒートポンプサイクルＸの圧縮機１３が起動すると、二酸化炭素の冷媒が圧縮機１３によって２段圧縮され、この圧縮機１３で圧縮されて吐出した超臨界圧の高温・高圧の液状の冷媒は放熱器１４Ａで放熱して受熱器１４Ｂを流れる水と熱交換し、その水を加熱する。
【００１７】
そして、前記放熱器１４Ａで放熱して温度の低下した冷媒は、減圧装置１５で減圧されて低圧となった後、蒸発器１６に流れ、この蒸発器１６で空気から吸熱して蒸発し、低温・低圧のガス状の冷媒となり、アキュームレータ１７に流れ、このアキュームレータ１７から前記圧縮機１３に吸入され再び圧縮される。
【００１８】
上述のヒートポンプユニット１１の運転開始に伴い、貯湯タンクユニット１２内の貯湯用循環ポンプ２７が起動し、この循環ポンプ２７の運転により、前記貯湯タンク２２内下部の低温或いは常温の水が、その出口部２６Ａから貯湯用配管２６内へ流れ、貯湯用循環ポンプ２７を介して受熱器１４Ｂへ流れ、ここで前記放熱器１４Ａ内に流れる高温・高圧の冷媒と熱交換して加熱される。そして、この受熱器１４Ｂで加熱された高温の湯は前記入口部２６Ｂから貯湯タンク２２の上部に流入し、沸き上げ運転の時間の経過に伴って、貯湯タンク２２内には８０℃以上の湯の貯留量が徐々に増加し、この高温の湯の湯層が貯湯タンク２２内の下部の一定位置に至ると、沸き上げ運転が完了する。
【００１９】
また、風呂水用循環ポンプ３１、追い焚き用循環ポンプ３２を運転することにより、貯湯タンク２２の高温水と浴槽４０の温水を追い焚き用熱交換器２９で熱交換し、浴槽４０の温水の追い焚きを行うこともできる。
【００２０】
次に、図３及び図４について説明するが、前記貯湯タンク２２はそれの外郭の上面部、底面部及び周面部が、グラスウール材を軟質樹脂シートの袋に収納した断熱材４２、４３、４４を組み合わせることにより被覆されている。４５は前記ユニット本体１２Ａの底面上に固定された複数の支持脚で、貯湯タンク２２を支持する。４６は複数の支持台で、前記ユニット本体１２Ａの底面下部に固定される。また、貯湯タンク２２の上部位置に対応するように、前記上面部と周面部の断熱材４２、４４の外側には、平面視円形状の上面部薄型高断熱材４７と、矩形状で貯湯タンク２２に巻き付け装着される周面部薄型高断熱材４８がそれぞれ設けられている。
【００２１】
そして、前記ユニット本体１２Ａの前部左側部には、上部から順に前記タンク側制御装置３６を構成するマイクロコンピュータなどの各種電子部品が搭載されたプリント基板５０、このプリント基板５０に接続される試運転スイッチ５１や電力会社との時間帯・料金に関する契約形態に応じて選択される電力契約設定スイッチ５２などが設けられた基板操作部５３、この基板操作部５３に接続されると共に２００ボルト電源にも接続されるブレーカ５４、台所用リモートコントローラ３８及び風呂用リモートコントローラ３９と接続される通信線やユニット本体１２Ａ外からの電源線などが接続される端子台５５、追い焚き用循環ポンプ３２、貯湯用循環ポンプ２７、風呂水用循環ポンプ３１などを寄せ集めて極力偏らせて配設する。
【００２２】
そして、前記基板操作部５３や端子台５５などの前方のユニット本体１２Ａ前面開口部には開閉可能な一方の扉体５９が設けられ、前記基板操作部５３や端子台５５の右方のユニット本体１２Ａ前面開口部には開閉可能な他方の扉体６０が設けられる。従って、前記ユニット本体１２Ａの前面開口部を開閉可能な左右の２つの縦長の扉体５９、６０が配設され、前記基板操作部５３前方の前面開口部を開閉する一方の扉体５９を他方の扉体６０より略１／３程度の面積にして小さく構成する。なお、ユニット本体１２Ａ前面開口部には開閉可能な少なくとも左右２つの扉体５９、６０を設けたが、これに限らず３つ以上設けてもよい。
【００２３】
なお、前記扉体５９には前記ブレーカ５４を操作できるように、このブレーカ５４に対応した位置に開閉可能な操作扉６１が設けられ、前記扉体６０には圧力逃し弁２１を操作できるように、この圧力逃し弁２１に対応した位置に開閉可能な操作扉６２が設けられる。
【００２４】
このように構成することにより、ヒートポンプ式の給湯装置１０を構成するヒートポンプユニット１１及び貯湯タンクユニット１２を集合住宅などの高層階のベランダなどに設置して、貯湯タンクユニット１２とヒートポンプユニット１１との間で、各種温水配管を接続したり、前記通信線や電源線を接続するために、先ず小さな一方の扉体５９をユニット本体１２Ａから取り外す。この取り外した後に、作業者は前述したような接続作業を行う。そして、運転開始前に基板操作部５３の電力契約設定スイッチ５２を操作して前記契約形態を選択して設定したり、試運転スイッチ５１を操作して試運転を行う。
【００２５】
従って、この設置時に強風があっても、面積が小さいので開けられた前記扉体５９が飛ばされることが発生しにくく、作業者にとって安全であり、安心して各種作業を行うことができる。
【００２６】
以上本発明の実施態様について説明したが、上述の説明に基づいて当業者にとって種々の代替例、修正又は変形が可能であり、本発明の主旨を逸脱しない範囲で前述の種々の代替例、修正又は変形を包含するものである。
【図面の簡単な説明】
【００２７】
【図１】本発明の給湯装置の設置状態を説明する説明図である。
【図２】同じく全体構成の概略構成図である。
【図３】同じく断熱構造を施した状態の貯湯タンクの縦断面図である。
【図４】一方の扉体を取り外した上体の貯湯タンクユニットの正面図である。
【図５】従来の貯湯タンクユニットの斜視図である。
【符号の説明】
【００２８】
Ｘ      ヒートポンプサイクル
１１    ヒートポンプユニット
１２    貯湯タンクユニット
１２Ａ  ユニット本体
５０    プリント基板
５１    試運転スイッチ
５２    電力契約設定スイッチ
５３    基板操作部
５５    端子台
５９    一方の扉体
６０    他方の扉体
【図１】
2008051449.tif 000003
【図２】
2008051449.tif 000004
【図３】
2008051449.tif 000005
【図４】
2008051449.tif 000006
【図５】
2008051449.tif 000007